(57)【特許請求の範囲】
【請求項１】
エンジンの出力軸と同出力軸の駆動力が伝達される入力軸とを連結する連結軸部と、
前記連結軸部の外周部に配設され、前記連結軸部と一体的に回転するロータを有する発電電動機と、
前記連結軸部の一端部側における外周面に、前記連結軸部の中心軸方向と平行に形成され、前記出力軸又は前記入力軸とスプライン結合する外歯スプラインと、
前記連結軸部の他端部側の内周面に、前記連結軸部の中心軸方向と平行に形成され、前記入力軸又は前記出力軸とスプライン結合する内歯スプラインと、
を備え、
前記連結軸部は、前記内歯スプラインを形成している中空凹部と連通し、前記連結軸部の一端部側の端面に開口した中空孔を有してなり、
前記内歯スプラインと前記外歯スプラインとを連通させる油路が、前記中空孔及び、前記連結軸部の一端部側の端面と前記出力軸又は前記入力軸との間に形成される隙間、とによって構成されてなることを特徴とするパワーユニット。
【請求項２】
前記中空孔が、前記連結軸部の一端部側に向かって内径が拡大する傾斜孔として構成されてなることを特徴とする請求項１記載のパワーユニット。
【請求項３】
前記中空凹部と連通する部位における前記中空孔の内径が、前記内歯スプラインの歯元円の直径と略等しい径であることを特徴とする請求項２記載のパワーユニット。
【請求項４】
前記中空孔が、内径が異なる複数の連続した孔によって構成され、
前記複数の連続した孔が、前記連結軸部の一端部側に向かって内径が段々に大きくなるように構成されてなることを特徴とする請求項１記載のパワーユニット。
【請求項５】
前記連結軸部の一端部側の端面に開口し、前記一端部側に向かって溝の深さが深くなる第１傾斜溝が、前記中空孔に少なくとも１つ以上形成されてなることを特徴とする請求項１〜４のいずれかに記載のパワーユニット。
【請求項６】
前記第１傾斜溝が、前記連結軸部の他端部側の端面まで連通した傾斜溝として形成されてなることを特徴とする請求項４記載のパワーユニット。
【請求項７】
前記第１傾斜溝における前記内歯スプラインの形成領域での溝形状が、前記内歯スプラインのピッチ幅と同じ幅の傾斜溝として形成されてなることを特徴とする請求項６記載のパワーユニット。
【請求項８】
前記連結軸部の一端部側の端面に開口し、前記一端部側に向かって溝の深さが深くなる第２傾斜溝が、前記前記外歯スプラインの形成領域における前記連結軸部の外周面に少なくとも１つ以上形成されてなることを特徴とする請求項１〜７のいずれかに記載のパワーユニット。
【請求項９】
前記第２傾斜溝における前記外歯スプラインの形成領域での溝形状が、前記外歯スプラインのピッチ幅と同じ幅の傾斜溝として形成されてなることを特徴とする請求項８記載のパワーユニット。
【発明の詳細な説明】
【技術分野】
【０００１】
本発明は、自動車や建設機械等に搭載され、特にハイブリッド型エンジンの補助動力源としての発電電動機を備えたパワーユニットに関する。
【背景技術】
【０００２】
ハイブリッド型エンジンにあって、エンジンのフライホィールに発電電動機を搭載したハイブリッド車は、既に乗用車やバス、トラックなどの商用車において実用化されている。また、ハイブリッド車においてエンジンに設けるＰＴＯ（動力取出装置）として、エンジンのフライホィールハウジング内に発電電動機を搭載した構成も提案されている。
【０００３】
ところで、ハイブリッド車に関わらず車載スペース上の制約から、車載されるものを極力コンパクトな構造としておくことが望まれている。特に、車載スペース上の制約において、エンジンの軸方向におけるスペースに対しての制約は、大変に厳しいものがある。
【０００４】
その一方で、発電電動機を搭載する場合には、エンジンの出力軸における振れや衝撃の影響を緩和しつつ、発電電動機におけるロータとステータとの相対的な回転精度を保持するとともに、油圧ポンプの駆動に対して前記衝撃等の影響を緩和ため、一般にダンパが用いられている。このため、発電電動機を搭載するにあたってダンパを配設することになると、エンジンの軸方向におけるスペースがどうしても犠牲になってしまうという問題があった。
【０００５】
この問題に対して、二つ以上のスプライン結合部によるカップリング構造を採用することで、カップリング構造によってダンパ構造と同じようなダンパ機能を持たせることができる。しかもカップリング構造を採用することで、エンジンの出力軸に取付ける発電電動機を、コンパクトに構成することができる。そして、コンパクトに構成した発電電動機をエンジンの軸方向に配設することで、エンジンの軸方向におけるスペースを小さく構成することができる。
【０００６】
このように、ダンパ構造の代わりにカップリング構造を用いて、エンジンの出力軸と油圧ポンプの入力軸との間に発電電動機を配設した構成は、本出願人によって既に提案されている（特許文献１参照）。
【０００７】
特許文献１に記載された発電電動機の構成を、本願発明の従来例１として図１７にはその縦断面図を示している。尚、図１７では、特許文献１に記載されている図とは左右逆向きに反転させたものを示している。図１７に示すように、ハイブリット型エンジンとして、エンジンハウジングEHとポンプハウジングPHとの間に、モータハウジングMHが固定されている。エンジンの出力軸101と油圧ポンプの入力軸102とは、筒状の連結軸部140を介して連結されている。
【０００８】
出力軸101と連結軸部140とは、出力軸101の端部に取付けたフライホィール170の内周面に形成した内歯スプライン171と、連結軸部140の一端側外周面に形成した外歯スプライン141とによるスプライン結合によって、一体回転可能に連結されている。また、連結軸部140と入力軸102とは、連結軸部140の他端部における内周面に形成した内歯スプライン142と、入力軸102の外周面に形成した外歯スプライン102aとによるスプライン結合によって、一体回転可能に連結されている。
【０００９】
連結軸部140の中間部における外周面には、外歯スプライン143が形成されている。前記外歯スプライン143には、モータロータ130の構成部材の一つである環状のロータ支持部131の内周面に形成した内歯スプライン131aが噛合しており、スプライン結合が行われている。そして、ロータ支持部131に取付けられた環状のロータヨーク135の外周面と、モータハウジングMHの内壁面に固設されたリング状のステータコア120の内周面とは、所定のエアギャップを介して配設されている。
【００１０】
また、連結軸部140の一端部側の端面における軸中心には、ネジ孔140aが形成されており、その端面に形成された円形凹陥部142bには、バネリング145を介して段付きリテーナ144が嵌着されている。バネリング145及び段付きリテーナ144は、締付けボルト146をネジ孔140aに螺合締結させることにより、連結軸部140の一端部側の端面に固着されている。このとき、バネリング145の外周端縁を、フライホィール170の内歯スプライン171の内周面に形成されたリング状の溝部に嵌着させることで、連結軸部140とフライホィール170との間での相対的な移動を阻止している。
【００１１】
この発電電動機の構成によって、エンジンの出力軸101と出力軸101の駆動力が伝達される入力軸102とは、スプライン結合箇所を２箇所以上とした連結軸部140を介して連結することができる。しかも、出力軸101及び入力軸102と連結軸部140とは、スプライン結合によるカップリング構造によってそれぞれ連結されている。これにより、エンジン側からの面振れや芯振れ、更には、衝撃等が、カップリング構造によって入力軸102に伝達されるのを緩和することができる。そして、出力軸101から入力軸102に対して動力を効率よく伝達することが可能となる。
【００１２】
また、発電電動機のモータロータ130は、連結軸部140に対してスプライン結合によって一体回転可能に取付けることができる。これによっても、モータロータ130に対して、エンジン側からの面振れや芯振れ、更には、衝撃等が、モータロータ130に伝達されるのを緩和することができる。
【００１３】
更に、発電電動機のモータロータ130としては、軸受160を介して固定ハウジングであるエンジンハウジングEHに保持される構成となっている。この構成によって、発電電動機のロータヨーク135とステータ120との間における相対的な回転精度を保証することができる。しかも、発電電動機に対して効率的な発電又は電動機としての駆動を行わせることが可能となる。
【特許文献１】特開２００７―６５５４号公報
【発明の開示】
【発明が解決しようとする課題】
【００１４】
上記特許文献１に開示されたハイブリット型エンジンでは、スプライン歯142，171が噛合したスプライン結合部と、スプライン歯142，102aが噛合したスプライン結合部とによるカップリング構造によって、エンジン側からの面振れや芯振れ、更には、衝撃等が入力軸102側に伝達されるのを緩和している。しかし、入力軸102側への衝撃等の伝達を緩和するためには、各スプライン結合部が十分に潤滑されていることが必要となる。
【００１５】
スプライン結合部での潤滑を行うには、モータハウジングMHの上部より潤滑油を供給して、スプライン結合部まで潤滑油を導く構成としておくことができる。この構成とした場合には、スプライン結合部まで達した潤滑油は、スプライン結合部における噛み合いの隙間を通って軸方向に流れることができる。しかも、スプライン結合している軸が回転しているので、噛み合っているそれぞれの歯に対して次々、均一に潤滑油の供給を行うことができる。
【００１６】
しかし、特許文献１に記載されたハイブリット型エンジンでは、出力軸101と入力軸102とは、連結軸部140の両端部における２ヶ所のスプライン結合部を介して連結された構成となっている。このため、２ヶ所のスプライン結合部に対して、それぞれ潤滑油が供給できるように構成しておかなければならない。
【００１７】
そのためには、潤滑油を２ヶ所のスプライン結合部にそれぞれ供給する油路を、モータハウジングMH内に設けることになるが、２ヶ所のスプライン結合部にそれぞれ潤滑油を供給する油路構成となると複雑な構成になってしまう。しかも、スプライン結合部周囲におけるスペースの制約も厳しく制限されているので、同時に二つのスプライン結合部に潤滑油を供給すること自体が困難なものとなってしまう。
【００１８】
一方のスプライン結合部に潤滑油を供給し、一方のスプライン結合部を潤滑した油を他方のスプライン結合部に続けて供給することができれば、潤滑油を供給する油路構成をシンプルに構成することができる。確かに、連結軸部140の一端部側の端面には、ネジ孔140aが形成されているので、スプライン歯142，102aが噛合したスプライン結合部を通った潤滑油を、スプライン歯141，171が噛合したスプライン結合部に供給する通路として、ネジ孔140aを利用することができるのではないか、ということは考えられる。ネジ孔140aを利用できたら、２ヶ所のスプライン結合部に潤滑油を供給する油路を、それぞれ別々に構成しておくことが必要なくなる。
【００１９】
しかし、ネジ孔140aは、バネリング145及び段付きリテーナ144を連結軸部140の一端部側の端面に固着させるため、締付けボルト146が螺合締結するネジ孔として構成されている。このため、締付けボルト146とネジ孔140aとの間には、油路となるような隙間は形成されていない。従って、スプライン歯142，102aが噛合したスプライン結合部におけるスプライン隙間を通った潤滑油を、締付けボルト146が螺合締結しているネジ孔140aを通ってスプライン歯141，171が噛合したスプライン結合部まで流すことは難しいものがある。
【００２０】
また、スプライン歯142，102aが噛合したスプライン結合部におけるスプライン隙間を通った潤滑油を、連結軸部140の外周面側まで導けるようにするための構成として、斜めの孔を連結軸部140の内周面側から外周面側に貫通させて形成しておくことも考えられる。そして、斜めの孔としては、スプライン歯141，171が噛合したスプライン結合部側に傾けた配置構成にしておくことが考えられる。
この構成を用いた場合には、斜めの孔を通って排出された油の一部は、モータハウジングMH内の部材等に衝突しながら霧状となって、スプライン歯141，171が噛合したスプライン結合部に到達させることができる。
【００２１】
しかし、連結軸部140における回転数が大きくなって遠心力の影響が強くなると、斜めの孔を通った油は、更に外側へと逃げてしまうことになる。このため、スプライン歯141，171が噛合したスプライン結合部に十分な潤滑油を供給するためには、斜めの孔の出口に、スプライン歯141，171が噛合したスプライン結合部に向けて油を案内する案内片等を設けておかなければならない。そのため、スプライン歯141，171が噛合したスプライン結合部近傍における構造が複雑なものとなってしまう。
【００２２】
本発明は、ハイブリット型エンジンにおける上述した課題を克服すべく発明されたものである。本発明の目的は簡単な構造にて、エンジンの出力軸及び同出力軸の駆動力が伝達される入力軸と、スプライン結合している連結軸部の両端部における二つのスプライン結合部に対して、それぞれ十分な潤滑油を供給することのできるパワーユニットを提供することにある。
【課題を解決するための手段】
【００２３】
本発明の上記目的は、本発明の最も主要な構成である、エンジンの出力軸と同出力軸の駆動力が伝達される入力軸とを連結する連結軸部と、前記連結軸部の外周部に配設され、前記連結軸部と一体的に回転するロータを有する発電電動機と、前記連結軸部の一端部側における外周面に、前記連結軸部の中心軸方向と平行に形成され、前記出力軸又は前記入力軸とスプライン結合する外歯スプラインと、前記連結軸部の他端部側の内周面に、前記連結軸部の中心軸方向と平行に形成され、前記入力軸又は前記出力軸とスプライン結合する内歯スプラインと、を備え、
前記連結軸部は、前記内歯スプラインを形成している中空凹部と連通し、前記連結軸部の一端部側の端面に開口した中空孔を有してなり、前記内歯スプラインと前記外歯スプラインとを連通させる油路が、前記中空孔及び、前記連結軸部の一端部側の端面と前記出力軸又は前記入力軸との間に形成される隙間、とによって構成されてなることを特徴とするパワーユニットにより効果的に達成される。
【００２４】
好適な態様によれば、中空孔が、連結軸部の一端部側に向かって内径が拡大する傾斜孔として構成されている。また、中空凹部と連通する部位における中空孔の内径を、連結軸部に形成した内歯スプラインの歯元円の直径と略等しい径となるように構成しておくこともできる。
【００２５】
更に、中空孔の形状としては、内径が異なる複数の連続した孔として構成し、複数の連続した孔を、前記連結軸部の一端部側に向かって内径が段々に大きくなるように形成しておくこともできる。
【００２６】
また、中空孔に第１傾斜溝を少なくとも１つ以上形成しておき、第１傾斜溝としては、連結軸部の一端部側の端面に開口し、一端部側に向かって溝の深さが深くなる傾斜溝として構成しておくことができる。第１傾斜溝としては、連結軸部の他端部側の端面まで連通した傾斜溝として構成しておくこともできる。
【００２７】
更に、連結軸部において内歯スプラインが形成されている領域における第１傾斜溝の溝形状としては、連結軸部の内歯スプラインのピッチ幅と同じ幅の傾斜溝として構成しておくこともできる。
【００２８】
更にまた、連結軸部の一端部側の外周面に第２傾斜溝を少なくとも１つ以上形成しておき、第２傾斜溝としては、連結軸部の一端部側の端面に開口し、一端部側に向かって溝の深さが深くなる傾斜溝として構成しておくことができる。連結軸部において外歯スプラインが形成されている領域における第２傾斜溝の溝形状としては、連結軸部の外歯スプラインのピッチ幅と同じ幅の傾斜溝として構成しておくこともできる。
【発明の効果】
【００２９】
本発明では、連結軸部の内歯スプラインが噛合しているスプライン結合部から、連結軸部の外歯スプラインが噛合しているスプライン結合部の間を連通させる油路が、連結軸部に形成した中空孔及び、連結軸部の一端部側の端面と対峙する出力軸又は入力軸との間に形成された隙間を通る油路、とによって構成されている。
【００３０】
この構成によって、連結軸部の内歯スプラインが噛合しているスプライン結合部を満遍なく潤滑して中空孔に流入した潤滑油は、回転している連結軸部の遠心力によって、中空孔の内周面に沿いながら連結軸部の一端部側に向かって流れ出ることができる。流れ出た潤滑油は、同じく回転している連結軸部の遠心力によって、連結軸部の一端部側の端面と対峙する出力軸又は入力軸との間に形成された隙間を通り、連結軸部の外歯スプラインが噛合しているスプライン結合部に供給されることになる。
連結軸部の外歯スプラインが噛合しているスプライン結合部に供給された潤滑油は、連結軸部の外歯スプラインが噛合しているスプライン結合部を満遍なく潤滑して連結軸部の軸方向に流れることができる。
【００３１】
このように、本発明では、回転している連結軸部の遠心力を活用して、スムーズに多量の潤滑油を二つのスプライン結合部に供給することが可能となる。しかも、一方のスプライン結合部にハウジングの上部から潤滑油を供給しておけば、他方のスプライン結合部には自動的に潤滑油が供給されることになるので、ハウジングの上部からスプライン結合部に潤滑油を供給する油路としては、一つの油路で構成しておくことができる。そのため、ハウジングの上部からスプライン結合部に潤滑油を供給する油路の構成が簡単になる。
【００３２】
連結軸部としては、軸受けを介して同連結軸部が、エンジンハウジング、モータハウジング又はポンプハウジングに支持されている構成としておくことができる。このように構成しておくことにより、スプライン結合部にモータハウジング上部から潤滑油を供給する供給路を設計する上において、設計の自由度を向上させることができる。また、連結軸部が軸受けを介して、ハウジングによって支持されることになるので、連結軸部の軸方向への移動を規制することができる。
【００３３】
本発明では、このような連結軸部がハウジングによって支持される構成をとることができるので、従来例として上述した発電電動機において、連結軸部140とフライホィール170との間における相対的な移動を阻止するために用いられているバネリング145が不要となり、締付けボルト146を螺合させるネジ孔140aが不要となる。このため、ネジ孔140aを形成していた部位に本発明の中空孔を形成することが可能となる。
【００３４】
また、連結軸部の一端部側に向かって内径が拡大する傾斜孔として、中空孔を構成しておくことができる。このように構成しておくことによって、回転する連結軸部内の油は、遠心力の作用によって中空孔の内周面に沿って連結軸部の一端部側に向かって流れることになる。これによって、より多くの油を中空孔内で流すことができ、二つのスプライン結合部に十分な潤滑油を供給することができる。
【００３５】
更に、連結軸部の一端部側とは反対側における中空孔の内径を、連結軸部に形成した内歯スプラインの歯元円の直径と略等しい径となるように構成しておくこともできる。このように構成すると、中空孔をより大きくした傾斜孔として構成することができるようになり、更に大流量の油を流すことが可能となる。
【００３６】
中空孔の形状としては、連結軸部の一端部側に向かって段々に大きな内径となる複数の異なる内径の孔として構成しておくことができる。このように構成しておくことにより、内径が拡大する傾斜孔として中空孔を構成した場合と同様に、遠心力を利用して多くの油を段々状の中空孔内で流すことができる。しかも、この場合には、中空孔として内径が拡大する傾斜孔を製作するよりも、簡単な切削加工で短時間に、しかも安価に製作することができる。
【００３７】
中空孔に傾斜を付けた第１傾斜溝を、少なくとも１つ以上形成しておくこともできる。そして、連結軸部の回転によって得られる遠心力を利用して、中空孔の内周面に沿って流れる油の多くが、第１傾斜溝内で流れるように構成しておくこともできる。このように、中空孔に第１傾斜溝を形成することで、第１傾斜溝で流す油に対して遠心力を有効に利用することができるようになる。
【００３８】
このため、中空孔として内径が拡大する傾斜孔や複数の異なる径の段差を設けた孔を形成しておかなくても、単にドリル孔等として形成した中空孔に対して、簡単に第１傾斜溝を形成することができる。しかも、中空孔の内周面に沿って流れている油も、第１傾斜溝内に捕捉していくことができるので、多くの潤滑油を第１傾斜溝内に流すことができる。
【００３９】
また、ドリル孔等として形成した中空孔において、第１傾斜溝を設けた場合に切削される切削量としては、内径が拡大する傾斜孔を切削する場合や複数の異なる径の段差を設けた孔を切削する場合において切削される切削量よりも少なくてすむ。このため、例えば、連結軸部の一方側の端面における外径が十分な大きさの径を有しない場合であっても、内径が小さなドリル孔等を中空孔として形成しておくことができ、このようにして形成した中空孔に第１傾斜溝を形成することで、連結軸部自体の剛性を低下させることなく、中空孔を流れる油の流量を増やすことができる。
【００４０】
尚、第１傾斜溝としては、内径が拡大する傾斜孔を有する中空孔や複数の異なる径の段差を設けた孔を有する中空孔に対して、形成しておくこともできる。
また、第１傾斜溝の配置位置としては、連結軸部の回転バランスを崩さないためにも、連結軸部の中心軸に対して軸対称の部位に、少なくとも一対の第１傾斜溝を配置しておくことが望ましい。
【００４１】
連結軸部の一端部側の端面から他端部側の端面まで連通した傾斜溝として、第１傾斜溝を構成しておくことにより、連結軸部の他端部側におけるスプライン結合部を通過している油に対しても、遠心力の作用を受け易くさせることができる。これにより、前記スプライン結合部においても、より多量な油を通過させることができる。
【００４２】
連結軸部の内歯スプラインが形成されている領域での第１傾斜溝の溝形状としては、内歯スプラインの一部を欠歯させた傾斜溝として構成することも、内歯スプラインにおける歯底面でのピッチ幅と同じ幅の傾斜溝として構成しておくこともできる。
【００４３】
連結軸部の外歯スプラインが形成されている領域に対しても、第２傾斜溝を少なくとも１つ以上形成しておくことができる。第２傾斜溝を形成しておくことにより、連結軸部の回転による遠心力を利用して、連結軸部の外歯スプラインが噛合しているスプライン結合部に対しても満遍なく潤滑することができる。また、潤滑後の油は、連結軸部の外部に流出させることができる。
【００４４】
尚、第２傾斜溝の配置位置としては、回転体としての連結軸部の回転バランスを崩さないためにも、連結軸部の中心軸に対して軸対称となる位置に、少なくとも一対の第２傾斜溝を配置しておくことが望ましい。また、第１傾斜溝と第２傾斜溝とをともに形成する場合には、例えば、第１傾斜溝を上下方向の２箇所に設け、第２傾斜溝は左右方向の２箇所に設けた構成としておくことができる。
【００４５】
このように構成しておことで、第１傾斜溝と第２傾斜溝との干渉によって、連結軸部の一端部側における残りの肉厚が少なくなり、連結軸部自体の剛性が低下してしまうのを防止できる。しかも、連結軸部の回転バランスを崩さないように構成することができる。
【００４６】
このように、回転体としての連結軸部の回転バランスを崩さないようにするため、また、連結軸部自体における剛性の低下を防止するため、連結軸部の中心軸に対して軸対称に配置するとともに、第１傾斜溝と第２傾斜溝とが互いに干渉し合わない様に、周方向における配置も考慮しておくことが望ましい。
【００４７】
また、第２傾斜溝の溝形状としては、連結軸部における外歯スプラインの一部を欠歯させた傾斜溝形状とすることも、内歯スプラインにおける歯底面でのピッチ幅と同じ幅の傾斜溝として構成しておくこともできる。
【発明を実施するための最良の形態】
【００４８】
以下、本発明の代表的な実施形態を図面に基づき具体的に説明する。図１は本発明の実施形態を示す発電電動機の軸線を通る縦断面図である。図２〜図５は同発電電動機の主な構成部材の斜視図である。本実施形態による発電電動機は、主に油圧ショベル等の建設機械に適用されるハイブリッド型のエンジンに搭載される発電電動機を例示するが、他の自動車分野や一般の産業機械分野、或いは船舶などの大型エンジンなどに広く適用することができる。
【００４９】
図１に示すように、発電電動機10を収納するモータハウジングMHは、エンジンハウジングEHとポンプハウジングPHとの間に固定されている。モータハウジングMHを介してエンジンハウジングEHとポンプハウジングPHとは、固設一体化されている。
【００５０】
エンジンハウジングEH内には、図示せぬエンジンに直結した出力軸1が、軸受けを介して回転自在に支持されており、ポンプハウジングPH内には、図示せぬ油圧ポンプの入力軸2又は図示せぬトランスミッションに直結した入力軸2が、軸受けを介して回転自在に支持されている。
【００５１】
モータハウジングMH内には、発電電動機10を構成するリング状のステータコア20と、モータロータ30と、連結軸部40とが配設されている。ステータコア20は、モータハウジングMHの内壁面に固設されている。モータロータ30は、ステータコア20の内周面とエアギャップを介して対峙しており、連結軸部40に支持されて連結軸部40と一体的に回転することができる。
【００５２】
連結軸部40は、軸受60を介してモータハウジングMHに支承されており、連結軸部40の一端部側の外周面には、第１外歯スプライン41が形成されている。また、連結軸部40の他端部側の内周面には、内歯スプライン42が形成されており、連結軸部40の中間部における外周面には、第２外歯スプライン43が形成されている。
【００５３】
軸受60のアウターレースは、モータハウジングMH及びポンプハウジングPHの間に介装されて固定された軸受フランジ50に嵌合している。また、軸受60のインナーレースは、連結軸部40の嵌合部40a（図6参照）に嵌合している。軸受フランジ50は、中央部に軸受60のアウターレースを嵌合する円筒部50aが形成されている。
【００５４】
エンジンハウジングEH内からモータハウジングMH内に突出した出力軸1には、フライホィール70が固設されており、フライホィール70の内周面には内歯スプライン71が形成されている。また、ポンプハウジングPH内からモータハウジングMH内に突出した入力軸2の外周面には、外歯スプライン2aが形成されている。
【００５５】
連結軸部40の他端部側における内歯スプライン42は、入力軸2の外歯スプライン2aと噛合して、第１スプライン結合部81を構成している。連結軸部40の一端部側における第１外歯スプライン41は、フライホィール70の内歯スプライン71と噛合して、第２スプライン結合部82を構成している。また、連結軸部40の第２外歯スプライン43は、モータロータ30を構成するロータ支持部31の内周面に形成された内歯スプライン31aと噛合して、第３スプライン結合部83を構成している。
【００５６】
このように、連結軸部40と出力軸1とはフライホィール70を介してスプライン結合されている。そして、連結軸部40は、軸受60を介してモータハウジングMHに支承されている構成となっている。このため、連結軸部40が出力軸1に対して軸方向に移動することは、軸受60によって阻止された構成となっている。
【００５７】
モータロータ30は、ロータ支持部31とロータ支持部31の外周面に密着支持されるリング状のロータヨーク35と、から構成されている。ロータ支持部31は、上述したように第３スプライン結合部83において、連結軸部40の中間部に形成された第２外歯スプライン43とスプライン結合している。
【００５８】
出力軸1に固設されているフライホィール70は、単にエンジンの回転効率を高めるために作用する以外にも、同時に発電電動機10における発電効率及びモータ効率を高めるための機能を備えている。このため、フライホィール70はエンジン側の構成部材であるとともに、発電電動機10の構成部材を兼ねている。
【００５９】
更に、フライホィール70の外周部には、スタータ用リングギヤ73が固設されており、エンジンのスタータ始動用のギヤ機能をスタータ用リングギヤ73に持たせることができる。また、エンジンを始動させる時には、発電電動機10をモータとして作動させることができる。このため、エンジンを始動させるモータとして発電電動機10を作動させるときには、スタータ用リングギヤ73は発電電動機10に対するスタータ機能を持つことができる。
尚、寒冷地におけるエンジンの始動性向上を図るためには、従来から用いられているスタータを別途設置しておき、スタータ用リングギヤ73と協動させて作動させることが更に好ましい使用形態となる。
【００６０】
上記説明では、フライホィール70を用いた構成例について説明を行ったが、フライホィール70を用いずに、出力軸1に図示せぬ内歯スプラインを形成しておき、同形成された出力軸1の内歯スプラインと連結軸部40の第１外歯スプライン41とをスプライン結合させた構成としておくこともできる。
【００６１】
尚、第１スプライン結合部81及び第２スプライン結合部82におけるスプライン結合の結合方法として、それぞれ連結軸部40の図示せぬ内歯スプラインとフライホィール70の図示せぬ外歯スプラインとをスプライン結合させ、及び連結軸部40の図示せぬ外歯スプラインと入力軸2の図示せぬ内歯スプラインとをスプライン結合させた結合方法を採用することもできる。
【００６２】
図６に示すように、連結軸部40は、内歯スプライン42が形成されている中空凹部44に、中空孔45が連通する形で、連結軸部40の軸中心に貫通した孔が形成されている。図６において符合40aで示す部位は、軸受60のインナーレースを嵌合する嵌合部である。
【００６３】
尚、後述するように、連結軸部40の軸中心に形成した中空孔の形状としては、図６で示す断面形状以外にも、図７〜図14で示す断面形状に構成しておくことができる。
【００６４】
図１、図２を用いてモータハウジングMHの構成を説明すると、モータハウジングMHのハウジング本体11は、全体的に薄型円筒状の形状を呈している。この構成によって、エンジンの軸方向に発電電動機10を取付けても、エンジンの軸方向おける長さを長く構成しなくてもすむ。
【００６５】
モータハウジングMHの上壁部には、油供給口11aが形成されており、油供給口11aには、潤滑油と冷却油とを兼ねた油を供給するパイプ5が接続している。油供給口11aから流下した油は、ロータ支持部31に取付けられた羽根車38の羽根部に供給されると共に、軸受フランジ50に形成した開口52を通って、軸受フランジ50とポンプハウジングPHとの間に形成された空間部54に流入する。
【００６６】
空間部54は、連結軸部40の内歯スプライン42と、入力軸2の外歯スプライン2aとがスプライン結合している第１スプライン結合部81に連通する構成となっている。空間部54を形成せずに、油供給口11aに連通したパイプなどをモータハウジングMH内に配設して、油供給口11aから流下する油の一部をパイプで直接取り出し、パイプで取り出した油を第１スプライン結合部81に吹き付ける構造を採用することもできる。
【００６７】
この構成によって、空間部54に流入した油を、第１スプライン結合部81に供給することができる。また、軸受フランジ50には油溜め16が取付けられており、油供給口11aから流下して羽根車38に供給された油の一部を、油溜め16内に溜めておくことができる。
【００６８】
羽根車38は、モータロータ30の回転と共に回転し、油供給口11aから流下した油を、その周面部で受けて、外周面の周方向に所定のピッチをもって突出する突条（羽根）の間に保持することができる。そして、回転中の遠心力をもって突条（羽根）の間に保持した油及び油溜め16内に溜められた油を、羽根車38の回転によって掻き揚げることができる。羽根車38によって掻き揚げられた油は、羽根車38の周辺に配されたステータコア20に振り掛けられる。
【００６９】
ステータコア20は、図5に示すように、リング状部材から構成されており、その内周面には中心に向けて周方向に所定のピッチで多数の極となる突部21が突設されている。各突部21の周面には、３本のコイル23が常法に従って順次巻装されている。
【００７０】
本実施形態では、突部21は総計３６個の突出した突部として構成されており、これによって、３相１２極のＳＲモータを構成している。３本のコイル23の両端部における６本のコイル端子は、ハウジング本体11の周面に形成された図示せぬ端子接続部に挿通されている。この端子接続部を介して前記６本のコイル端子は、それぞれ外部の交流電源から伸びている図示せぬリード線の端子と接続している。
【００７１】
ステータコア20の外周部には、3個の突起20aが形成されており、各突起20aは、図２に示すハウジング本体11の内周面に形成した凹部11bにそれぞれ係合することができる。各突起20aと各凹部11bとを係合させることで、ステータコア20のモータハウジングMHに対する位置決めを行うことができる。位置決めされたステータコア20は、図示せぬロールピンによってハウジング本体11の内周面に固定される。
【００７２】
このようにステータコア20が構成されているので、羽根車38の回転によって掻き揚げられた油は、ステータコア20に巻装されたコイル23に満遍なく放射されることになり、加熱するコイル23を冷却することができる。
また、ハウジング本体11の下部は、油溜まり51となるように構成されており、例えば、図１の点線で示す水平線の位置までハウジング本体11下部の油溜まり51に油を溜めておくことができる。そして、ハウジング本体11下部の油溜まり51に溜められた油に、ステータコア20に巻装されたコイル23の一部を浸漬させておくことができる。この構成により、コイル23は、ハウジング本体11下部の油溜まり51に溜められた油によって冷却されるとともに、羽根車38によって掻き揚げられた油によっても冷却されることになる。
【００７３】
コイル23を冷却した油は、ハウジング本体11の下部に流下して油溜まり51に溜められることになる。ハウジング本体11の下部には、外部に連通したドレイン口53が形成されており、油溜まり51に溜められている油の油面レベルは、ドレイン口53から排出する油の流量と油供給口11aから供給される流量とによって調整することができる。
【００７４】
モータロータ30は、図3に示すロータ支持部31と図4に示すロータヨーク35とから構成されている。図3に示すようにロータ支持部31は、環状の円板部34と、円筒支持面33と、環状のフランジ部32とを備えた構成となっている。環状の円板部34は、円筒支持面33の内周面側に連接されており、連結軸部40の第２外歯スプライン43と噛合する内歯スプライン31aが形成されている。円筒支持面33は、一端部側において環状のフランジ部32を連接しており、ロータヨーク35の内周面を支持することができる。フランジ部32は、ロータヨーク35の端面及び羽根車38を支持固定することができる。
そして、ロータ支持部31を構成する円板部34と、円筒支持面33と、フランジ部32とは、鋳造等の製造手段によって一体的に構成しておくことができる。
【００７５】
ロータヨーク35及び羽根車38は、ロータ支持部31のフランジ部32に形成した複数のボルト挿通孔32aに挿通したボルト37aと、ボルト37aに螺合したナット37bと、によって固定されている。また、ロータヨーク35には、図4に示すようにボルト37aを挿通させるボルト挿通孔35aが、ボルト挿通孔32aに対応した位置となるように周方向に複数形成されている。図1に示すように羽根車38にも、ボルト37aを挿通させるボルト挿通孔38aが複数形成されている。
【００７６】
図4に示すようにロータヨーク35は、外周面の周方向に所定のピッチをもって多数の誘導子36が突設されており、その内周面が円筒支持面33の外周面に外嵌固定されている。
【００７７】
本実施形態にあっては、上述したようにステータコア20の内周面に突設されて磁極を構成する突部21は、総計３６個の突部21を等間隔に配設した構成となっている。これに対して、ロータヨーク35に形成した誘導子36としては、総計２４個の誘導子36を等間隔に配設した構成となっている。このように、ステータコア20における磁極（突部21）の数、即ち、各磁極（各突部21）間のピッチと、ロータヨーク35における各誘導子36間のピッチとの間に、ピッチ差を設けている。
【００７８】
次に、図１を用いて、モータハウジングMHの上壁部に形成した油供給口11aから流下した油が、空間部54を通り第１スプライン結合部81に供給された後に、第２スプライン結合部82まで供給される油の油路について具体的に説明する。
【００７９】
油供給口11aから流下した油の一部は、矢印で示すようにモータハウジングMHに取付けられた軸受フランジ50の開口52を通り、軸受フランジ50とポンプハウジングPHとの間に形成された空間部54に流入する。空間部54に流入した油は、第１スプライン結合部81に供給される。
【００８０】
第１スプライン結合部81に供給された油は、連結軸部40の内歯スプライン42と入力軸2の外歯スプライン2aとの噛み合いの隙間を通って、矢印で示すように連結軸部40の軸方向に流れることができる。しかもこのとき、スプライン結合している連結軸部40と入力軸2とが回転しているので、噛み合っている内歯スプライン42と外歯スプライン2aとの歯に対して、次々と満遍なく均一に潤滑油の供給を行うことができる。
【００８１】
内歯スプライン42と外歯スプライン2aとを満遍なく潤滑した油は、中空孔45内に流入する。中空孔45内に流入した油は、回転している連結軸部40の遠心力によって、中空孔45の内周面に沿いながら、矢印で示すように連結軸部40の一端部側に向かって流れ出ることになる。
【００８２】
連結軸部40の一端部側に流れ出た油は、回転している連結軸部40の遠心力によって、今度は連結軸部40の一端部側における端面に沿ってラジアル方向に広がっていく。即ち、連結軸部40の一端部側における端面と対峙する出力軸1との間に形成された隙間を通った油は、第２スプライン結合部82に供給されることになる。
【００８３】
第２スプライン結合部82に供給された油は、連結軸部40の第１外歯スプライン41とフライホィール70の内歯スプライン71との噛み合いの隙間を通って、矢印で示すように連結軸部40の軸方向に流れることができる。第２スプライン結合部82を満遍なく潤滑して連結軸部40の軸方向に流れでた油は、モータハウジングMH内の部材等に衝突しながら霧状となって、第３スプライン結合部83やステータコア20のコイル23に到達させることができる。そして、第３スプライン結合部83における潤滑やコイル23の冷却を行うことができる。
【００８４】
図６に示すように、中空孔45は、連結軸部40の中心軸上に形成されており、内歯スプライン42が形成された中空凹部44に貫通する孔として構成されている。また、内歯スプライン42の両端部には、座グリ部48a，48bが形成されている。座グリ部48aには、空間部54から第１スプライン結合部81に供給された油を、一時的に溜めておくことができ、座グリ部48a内に溜めた油を常に、内歯スプライン42と外歯スプライン2aとの噛み合いの隙間に満遍なく供給できる構成となっている。
【００８５】
また、内歯スプライン42の奥側の端部に形成した座グリ部48bには、内歯スプライン42と外歯スプライン2a（図１参照）との噛み合いの隙間を通った油を、一時的に溜めておくことができる。座グリ部48bに溜められた油は、連結軸部40の回転によって生じる遠心力によって、座グリ部48bの側壁面に沿ってラジアル方向に移動して、中空孔45内に流入する。中空孔45内に流入した油は、上述したように連結軸部40の回転によって生じる遠心力によって中空孔45の内周面に沿って回転しながら、連結軸部40の一端部側に向かって流れ出ていくことになる。
【００８６】
中空孔45の構成としては、図６で示したように連結軸部40の中心軸上に中空孔45を設けた構成以外にも、連結軸部40の中心軸を中心として同芯状に複数の中空孔45を配設した構成にすることもできる。このとき、同芯状に配した複数の中空孔45としては、連結軸部40の中心軸と平行となるように構成しておくができる。また、複数の中空孔45を連結軸部40の中心軸に対してそれぞれ傾向けた配設構成にして、各中空孔45の端部開口が、連結軸部40の一端部側における第１外歯スプライン41側に近づくように傾けて構成しておくこともできる。
【００８７】
また、以下の図７〜図１４で説明する連結軸部40における中空孔45の変形例の構成において、図７、図８で示した連結軸部40の変形例では、図６で示したと同様に第２外歯スプライン43を形成した構造となっている。また、図９〜図１４で示した連結軸部40における中空孔45の変形例では、第２外歯スプライン43を形成せずに、図１５で示しているように、連結軸部40の外周面に形成した環状のフランジ部46に、ボルト47を介してロータ支持部31を支持固定する構造となっている。
【００８８】
このため、図６〜図８で示した連結軸部40の外周形状では、第１外歯スプライン41を形成した外周径に比べて第２外歯スプライン43及びフランジ部46を形成した外周径の方が大きな外周径となるように構成されているが、図９〜図１４で示した連結軸部40の外周部形状では、第１外歯スプライン41を形成した外周径とフランジ部46を形成した外周径とを略等しい外周径として構成している。これは、第２外歯スプラインを形成しない分、連結軸部40の外周径を小さく構成することができたためである。
【００８９】
他の構成に関しては、図６〜図１４で示した連結軸部40は、同様の構成となっている。また、図６〜図１４で示した連結軸部40の構成において、ロータ支持部31を支持固定する構造に関しては、図1と図１５のどちらの構成を採用するのかに基づいて、図６〜図８で示したように第２外歯スプライン43を形成した構成としておくことも、図９〜図１４で示したように第２外歯スプライン43を形成しない構成としておくこともできる。
【００９０】
図１５おける電動発電機10の構成を説明する前に、図７〜図１４を用いて連結軸部40における中空孔45の変形例について説明する。図６では、連結軸部40の中空孔45が真っ直ぐな貫通孔として示した構成例を示しているが、図７では、中空孔45が、連結軸部40の一端部側に向かって内径が拡大する傾斜孔として構成されている。
【００９１】
このように傾斜孔として中空孔45を構成しておくことにより、連結軸部40の回転により得られる遠心力の作用を有効に利用することができ、中空孔45の内周面に沿って回転しながら流れる油を、スムーズに連結軸部40の一端側に向かって流すことができる。また、図６で示した中空孔45の形状のものに比べて、図７で示した中空孔45の形状のものでは、より多くの油を流すことができる。
【００９２】
中空孔45を傾斜孔として構成しておく場合には、図９に示すように、中空凹部44と連通している中空孔45の部位における内径が、内歯スプライン42の歯元円の直径と略等しい径となるように構成しておくことができる。
このように構成しておくことにより、傾斜孔とした中空孔45を図７で示した場合よりも大きく構成することができ、回転する油にかかる遠心力をより大きくすることができる。これにより、より多くの油を中空孔45内で流すことが可能となる。
【００９３】
中空孔45を傾斜孔として構成する代わりに、図８で示すように、連結軸部40の一端部側に向かって内径が段々に大きくなるように、内径が異なる複数の孔を連続させた構成にしておくことができる。
このように構成しておくことにより、図７、図９で示したように内径が拡大する傾斜孔として中空孔45を構成した場合と同様に、遠心力を利用して多くの油を中空孔45で流すことができる。しかも、中空孔45としては内径が異なる複数の孔を連続させて段々に変化させた構成にしているので、図８で示すような中空孔45の切削加工は、安価でしかも容易に行うことができる。
【００９４】
図１０〜図１４を用いて、傾斜溝を更に加えた連結軸部40の構成について説明する。図１０〜図１４において、（ａ）で示す図は、連結軸部40の縦断面図を示しており、（ｂ）で示す図は、連結軸部40の一端部側から見た正面図を示している。
【００９５】
図１０では、ドリル孔として形成した中空孔45の内周面に、連結軸部40の一端部側に向かって溝の深さが深くなる第１傾斜溝55を一対形成した構成例を示している。一対の第１傾斜溝55は、連結軸部40の回転バランスを崩さないようにするため、連結軸部40の中心軸に対して軸対称の部位に形成しておくことが望ましい。
また、連結軸部40の中心軸に対して軸対称の部位に形成した一対の第１傾斜溝55を複数組形成する場合には、各第１傾斜溝55が連結軸部40の中心軸周りで等間隔に配設されるように構成しておくことが望ましい。
【００９６】
第１傾斜溝55を形成することによって、中空孔の内周面に沿って流れる油の多くを、第１傾斜溝内で流すことができる。しかも、第１傾斜溝55を形成するのに連結軸部40を切削する切削量は、図７及び図９で示した内径が拡大する傾斜孔を切削する場合や図８で示した複数の異なる径の段差を設けた孔を切削する場合に比べて、少ない切削量ですむ。
【００９７】
このため、例えば、連結軸部40の一方側の端面における外径が十分な大きさの径を有していない場合であっても、中空孔45をドリル孔等で形成しておくことができ、連結軸部40自体の剛性を低下させることなく、中空孔45内を流れる油の流量を増やすことができる。
【００９８】
図１１及び図１２で示すように、第１傾斜溝55を連結軸部40の一端部側の端面から他端部側の端面まで連通した傾斜溝として構成しておくこともできる。図１１は、内歯スプライン42の形成領域における第１傾斜溝55の溝形状として、内歯スプライン42の一部を欠歯させた溝形状の構成例を示している。また、図１２は、内歯スプライン42の形成領域における第１傾斜溝55の溝形状として、内歯スプライン42における歯底面でのピッチ幅と同じ幅の傾斜溝とした構成例を示している。
【００９９】
この構成により、連結軸部40の他端部側における第１スプライン結合部81を通過している油に対しても遠心力の作用を受け易く構成しておくことができる。このため、第１スプライン結合部81においても、より多量な油を通過させることができる。
【０１００】
図１３及び図１４には、第１傾斜溝55の他に、第１外歯スプライン41の形成領域にも、連結軸部40の一端部側に向かって溝の深さが深くなる一対の第２傾斜溝56を形成した構成例を示している。
尚、図１３（ａ）、図１４（ａ）では、下半部に示した第２傾斜溝56を９０度だけ連結軸部40の中心軸回りに回転させた状態を示している。
【０１０１】
図１３は、第２傾斜溝56の溝形状として、第１外歯スプライン41の一部を欠歯させた溝形状の構成例を示している。また、図１４は、第２傾斜溝56の溝形状として、第１外歯スプライン41における歯底面でのピッチ幅と同じ幅の傾斜溝とした構成例を示している。
【０１０２】
このように、第２傾斜溝46を形成しておくことにより、連結軸部40の回転による遠心力を利用して、連結軸部40の第１外歯スプライン41が噛合している第２スプライン結合部82において油を流れ易く構成することができ、第２スプライン結合部82に対しても満遍なく油を潤滑させることができる。
【０１０３】
尚、一対の第２傾斜溝56は、連結軸部40の回転バランスを崩さないために、連結軸部40の中心軸に対して軸対称の部位に形成しておくことが望ましい。また、第１傾斜溝45と第２傾斜溝46とをともに形成する場合には、例えば図１３（ｂ）で示すように、第１傾斜溝45を上下方向の２箇所に設け、第２傾斜溝は左右方向の２箇所に設けた構成としておくことができる。
【０１０４】
このように構成しておことで、一対の第１傾斜溝45と一対の第２傾斜溝46との干渉によって、連結軸部40の一端部側における残りの肉厚が少なくなり、連結軸部40自体の剛性が低下してしまうのを防止できる。しかも、連結軸部40の回転バランスを崩さないように構成することができる。
【０１０５】
次に、図９〜図１４に示した連結軸部40を用いることのできる電動発電機10の別の構成例について、図１５を用いて説明する。図１５で示した電動発電機10の構成では、ボルト47を介してロータ支持部31を連結軸部40に取付ける構成となっており、図1で示した発電電動機10の構成のように第３スプライン結合部83を用いた構成とは異なっている。
【０１０６】
また、ロータ支持部31を連結軸部40に取付けるための構成の変更に伴って、多少の構成変更が行われている。更に、モータハウジングMH内の底部に形成した油溜め51を大きく構成している。他の構成は、図1で示した発電電動機10と同じ構成となっており、同じ構成については、同じ部材符号を用いることでその説明を省略する。
【０１０７】
図１５に示すように、出力軸1に取付けられたフライホィール70には、連結軸部40の第１外歯スプライン41に噛合する内歯スプライン76が形成された歯車部材75が固定されている。ロータ支持部31は、モータハウジングMHの反エンジン側における周側面に固設された軸受フランジ59に支持された軸受61を介して支承されている。
【０１０８】
また、ロータ支持部31は、ボルト62を介して連結軸部40の外周面に形成したフランジ部46に固定されている。ロータ支持部31のエンジン側における端面は、フライホィール70に固定された歯車部材75に当接している。そして、軸受61による支承と、歯車部材75との当接とにより、ロータ支持部31及びロータ支持部31を固定している連結軸部40は、軸方向への移動が規制されている。
【０１０９】
モータハウジングMHの上壁部に設けられた油供給口11aから流下した油は、モータハウジングMHの側壁に形成した油路を通って、空間部54から第１スプライン結合部81に供給することができる。また、空間部54から第１スプライン結合部81に供給された油の一部は、入力軸2の外周面に沿ってポンプハウジングPH内に流入し、入力軸2を支承している軸受等を潤滑することができるとともに、連結軸部40の外周面と軸受フランジ59との間に形成された隙間を通って、軸受61を潤滑することができる。
【０１１０】
第１スプライン結合部81を潤滑した油は、中空孔45の内周面に沿って移動し、第２スプライン結合部82の潤滑に供することができる。第２スプライン結合部82の潤滑を行った油は、ロータ支持部31と歯車部材75及びフライホィール70との隙間を通って、ロータヨーク35に供給することができる。
【０１１１】
ロータヨーク35の端部には、羽根車38が取付けられており、第２スプライン結合部82を潤滑してきた油と、空間部54から軸受61を潤滑してきた油は、羽根車38に供給され、羽根車38の回転によって飛散して、ステータコア20の突部21に降り掛けてコイル23（図５参照）を冷却することができる。
【０１１２】
モータハウジングMHは、図１６に示すように、ハウジング本体11全体が薄型円筒状を呈し、その下端に逆二等辺三角形状の枠部12が連設されている。ハウジング本体11の下端部と枠部12とは一部連通路13を介して連通している。枠部12のエンジン側の端面と油圧ポンプ側の端面とが閉塞される構成となっており、内部に油溜め部51を形成することができる。
【０１１３】
図１５で示すように、ハウジング本体11の上壁部に設けた油供給口11aから供給された油は、第１スプライン結合部81及び第２スプライン結合部82等を潤滑したり、ステータコア20の突部21を冷却したりした後、モータハウジングMH内を流下して油溜め部51に溜められることになる。
【０１１４】
ステータコア20に巻装されたコイル23の一部を、油溜め部51内に浸漬させておくことにより、油溜め部51内の油によってコイル23の冷却を行うことができる。油溜め部51の下部には、ドレイン口53が形成されており、ドレイン口53から外部に排出する排出流量を制御することができる。
【図面の簡単な説明】
【０１１５】
【図１】発電電動機の縦断面図である。（実施例）
【図２】モータハウジングをエンジン側から見た斜視図である。（実施例）
【図３】ポンプ側から見たロータ支持部の斜視図である。（実施例）
【図４】モータロータの斜視図である。（実施例）
【図５】ステータコアの平面図である。（実施例）
【図６】連結軸部の縦断面図である。（実施例）
【図７】中空孔の変形例を示す連結軸部の縦断面図である。（実施例）
【図８】中空孔の他の変形例を示す連結軸部の縦断面図である。（実施例）
【図９】中空孔の別の変形例を示す連結軸部の縦断面図である。（実施例）
【図１０】中空孔に第１傾斜溝を形成した連結軸部の縦断面図である。（実施例）
【図１１】第１傾斜溝の変形例を示す連結軸部の縦断面図である。（実施例）
【図１２】第１傾斜溝の他の変形例を示す連結軸部の縦断面図である。（実施例）
【図１３】第１外歯スプラインに第２傾斜溝を形成した連結軸部の縦断面図である。（実施例）
【図１４】第２傾斜溝の変形例を示す連結軸部の縦断面図である。（実施例）
【図１５】他の発電電動機の縦断面図である。（実施例）
【図１６】図１５におけるモータハウジングをエンジン側から見た斜視図である。（実施例）
【図１７】発電電動機の縦断面図である。（従来例）
【符号の説明】
【０１１６】
１・・・出力軸、
２・・・入力軸、
１０・・・発電電動機、
１１・・・ハウジング本体、
１１ａ・・・油供給口、
２０・・・ステータコア、
３０・・・モータロータ、
３１・・・ロータ支持部、
３５・・・ロータヨーク、
３８・・・羽根車、
４０・・・連結軸部、
４１・・・第１外歯スプライン、
４２・・・内歯スプライン、
４３・・・第２外歯スプライン、
４５・・・中空孔、
５０・・・軸受フランジ、
５１・・・油溜め、
５２・・・開口、
５５・・・第１傾斜溝、
５６・・・第２傾斜溝、
５９・・・軸受フランジ、
７０・・・フライホィール、
７５・・・歯車部材、
８１・・・第１スプライン結合部、
８２・・・第２スプライン結合部、
８３・・・第３スプライン結合部、
１０１・・・出力軸、
１０２・・・入力軸、
１２０・・・ステータコア、
１３０・・・モータロータ、
１３１・・・ロータ支持部、
１３５・・・ロータヨーク、
１４０・・・連結軸部、
１４１・・・外歯スプライン、
１４２・・・内歯スプライン、
１４３・・・外歯スプライン、
１４５・・・バネリング、
１７０・・・フライホィール。
【図１】
0005064945.tif 000002
【図２】
0005064945.tif 000003
【図３】
0005064945.tif 000004
【図４】
0005064945.tif 000005
【図５】
0005064945.tif 000006
【図６】
0005064945.tif 000007
【図７】
0005064945.tif 000008
【図８】
0005064945.tif 000009
【図９】
0005064945.tif 000010
【図１０】
0005064945.tif 000011
【図１１】
0005064945.tif 000012
【図１２】
0005064945.tif 000013
【図１３】
0005064945.tif 000014
【図１４】
0005064945.tif 000015
【図１５】
0005064945.tif 000016
【図１６】
0005064945.tif 000017
【図１７】
0005064945.tif 000018